(57)【要約】【課題】座板に特別な加工を施すことなく、座板をロックすることができ、家具の本体に傷をつけるようなことも回避できるスライドレールを提供する。【解決手段】収納家具本体と、収納家具本体に対して引き出される方向および引き込まれる方向にスライド自在に支持された引き出し又は引き出し板とを備える収納家具における、引出し又は引き出し板を引き出した状態にロックする機能を有するスライドレールであって、収納家具本体に固定されるアウターレール３ａと、引出し又は引き出し板を支持するインナーレール３ｃと、インナーレールに、中間部分を支点として上下方向に回動自在に支持されるロック部材３ｄであって、収納家具本体から離れた一端部Ａが下がるように、且つ収納家具本体に近い他端部Ｂが上がるように付勢され、他端部Ｂがアウターレールの端部３ａ１に当接することにより、インナーレールがアウターレールに収納されることを阻止するロック部材とを備え、ロック部材の一端部Ａを持ち上げることによりロック部材によるロックが解除される。【選択図】図４
2015080571.tif 000002
【特許請求の範囲】
【請求項１】
収納家具本体と、該収納家具本体に対して引き出される方向および引き込まれる方向にスライド自在に支持された引き出し又は引き出し板とを備える収納家具における、前記引出し又は引き出し板を引き出した状態にロックする機能を有するスライドレールであって、
前記収納家具本体に固定されるアウターレールと、
前記引出し又は引き出し板を支持するインナーレールと、
前記インナーレールに、中間部分を支点として上下方向に回動自在に支持されるロック部材であって、収納家具本体から離れた一端部が下がるように、且つ収納家具本体に近い他端部が上がるように付勢され、前記他端部が前記アウターレールの端部に当接することにより、前記インナーレールが前記アウターレールに収納されることを阻止するロック部材と、
を備え、
前記ロック部材の前記一端部を持ち上げることにより前記ロック部材によるロックが解除されることを特徴とするスライドレール。
【請求項２】
複数の前記スライドレールの前記ロック部材の前記一端部同士を接続する接続部材をさらに備え、該接続部材を持ち上げることにより前記ロック部材によるロックが解除されることを特徴とする請求項１に記載のスライドレール。
【請求項３】
収納家具本体と、
該収納家具本体に対して引き出される方向および引き込まれる方向にスライド自在に支持された引き出し又は引き出し板と、
前記引き出し又は引き出し板をスライド自在に支持するための、請求項１又は２に記載のスライドレールと、
を備えることを特徴とする玄関収納家具。
【請求項４】
前記引き出しの上に載置され、使用者が腰掛けることを可能とする天板部材をさらに備えることを特徴とする請求項３に記載の玄関収納家具。
【発明の詳細な説明】
【技術分野】
【０００１】
本発明は、収納可能な座板を有するキャビネット等に用いられ、座板を引き出した状態にロックする機能を有するスライドレールに関する。
【背景技術】
【０００２】
玄関などにおいて靴を履く場合、特にロングブーツなどの履くのに手間がかかる靴を履く場合に、椅子などの腰掛けるものがあると便利である。
【０００３】
そのためには、玄関にイスを置いておくのも１つの方法であるが、それでは使用しないときに邪魔になるため、例えば特許文献１には、玄関に置かれる下駄箱あるいはその他の収納家具において、人が座るのに適した高さの位置に、家具の本体から引き出し可能な座板を備えるようにし、この座板に腰掛けられるようにしたものが提案されている。
【０００４】
特許文献１に記載の玄関収納家具では、家具の本体に対して引き出し可能な座板と、座板の下面に設けられたシーソー状のロック部材とが備えられている。このロック部材は、座板が引き出された場合に、シーソー状の部材の中央近くの折れ曲がった点を支点として家具の本体に近い側が重力で下がり、その下がった先端が家具の本体に当接して、座板が引き込まれるのを妨げるようにロックする。そして、使用者がこのシーソー状のロック部材の重力で下がった側とは反対側の端部を押し下げると、ロック部材の家具の本体に近い側が持ち上がり、ロックが解除され、座板を家具の本体に収納することが可能となる。このように構成される玄関収納家具では、使用者が必要な時だけ座板を家具から引き出し、それに腰掛けて靴を履くことができる。そして、靴を履き終えたならば、ロックを外して、座板を家具の本体内に収納することができる。そのため、使用しないときに邪魔にならないイスを提供することができる。
【先行技術文献】
【特許文献】
【０００５】
【特許文献１】特開２００７−４４２１０号公報
【発明の概要】
【発明が解決しようとする課題】
【０００６】
しかしながら、上記の特許文献１に記載の玄関収納家具では、ロック部材を解除する場合に、シーソー状のロック部材の重力で下がった側とは反対側の端部を押し下げるために、座板にロック部材を押し下げるための穴を形成する必要があり、座板に加工を加える必要があった。
【０００７】
また、シーソー状のロック部材の重力で下がった先端が家具の本体に当接するため、場合によっては家具の本体に傷をつけてしまう恐れがあった。
【０００８】
本発明は上述した課題に鑑みてなされたものであり、その目的は、座板に特別な加工を施すことなく、座板をロックすることができ、家具の本体に傷をつけるようなことも回避できるスライドレールを提供することである。
【課題を解決するための手段】
【０００９】
本発明に係わるスライドレールは、収納家具本体と、該収納家具本体に対して引き出される方向および引き込まれる方向にスライド自在に支持された引き出し又は引き出し板とを備える収納家具における、前記引出し又は引き出し板を引き出した状態にロックする機能を有するスライドレールであって、前記収納家具本体に固定されるアウターレールと、前記引出し又は引き出し板を支持するインナーレールと、前記インナーレールに、中間部分を支点として上下方向に回動自在に支持されるロック部材であって、収納家具本体から離れた一端部が下がるように、且つ収納家具本体に近い他端部が上がるように付勢され、前記他端部が前記アウターレールの端部に当接することにより、前記インナーレールが前記アウターレールに収納されることを阻止するロック部材と、を備え、前記ロック部材の前記一端部を持ち上げることにより前記ロック部材によるロックが解除されることを特徴とする。
【発明の効果】
【００１０】
本発明によれば、座板に特別な加工を施すことなく、座板をロックすることができ、家具の本体に傷をつけるようなことも回避できるスライドレールを提供することが可能となる。
【図面の簡単な説明】
【００１１】
【図１】本発明の一実施形態に係わるスライドレールを備えた玄関収納家具の構成を示す図である。
【図２】図１における玄関収納家具の引き出しの天板を取り外した状態を示す図である。
【図３】スライドレールを図１及び図２における上面から見た図である。
【図４】スライドレールを図１及び図２における内側から見た図である。
【図５】２つのスライドレールの接続状態を示す図である。
【発明を実施するための形態】
【００１２】
以下、本発明の一実施形態について、添付図面を参照して詳細に説明する。
【００１３】
図１は、本発明の一実施形態に係わるスライドレール３を備えた玄関収納家具の構成を示す図である。図１において、収納家具の本体である家具本体１には、物品等を収納する引出し２と、引出し２をスライド可能に支持するためのスライドレール３とが備えられている。また、引き出し２の上面には、使用者が靴を履くときに腰掛ける座面となるように、天板（座板）４が載置されている。この天板４は引き出し２から取り外し自在であり、天板４を取り外すと、図２に示すように、引き出し内に物品を収納することが可能となる。
【００１４】
スライドレール３には、アウターレール（外側レール）３ａと、インターレール（中間レール）３ｂと、インナーレール（内側レール）３ｃとを備える３段式のレールが用いられる。これは、２段式のレールでは、引出し２の奥側の一部分がキャビネット本体１の内側に残ってしまうので、引出し２の奥側の部分まで完全にキャビネット本体１から引き出せるようにするためである。また、スライドレール３には、本実施形態の特徴的な構成であるロック部材３ｄが設けられており、ロック部材３ｄは、引き出し２が引き出されて使用者が天板４の上に腰掛けた場合に、不用意に引き出し２が家具本体１内に引き込まれないようにロックする機能を有する。
【００１５】
図３は、スライドレール３を図１及び図２における上面から見た図であり、図４は、スライドレール３を図１及び図２における内側から見た図である。
【００１６】
図３、図４において、スライドレール３は、スライドレール３の本体であり、家具本体１にネジ等により固定されるアウターレール３ａと、アウターレール３ａに対してベアリングを介してスライド自在に支持されるインターレール３ｂと、インターレール３ｂに対してベアリングを介してスライド自在に支持されるとともに、図１、図２に示す引き出し２がネジ等により固定されるインナーレール３ｃと、インナーレール３ｃに固定された支持プレート３ｅとを備えている。支持プレート３ｅには、ロック部材３ｄの回動の支点となる回動軸３ｆが設けられており、ロック部材３ｄは回動軸３ｆによりその回りに回動可能に支持されている。
【００１７】
ここでロック部材３ｄを有するロック機構について説明する。
【００１８】
ロック部材３ｄの家具本体１から離れた先端部（Ａ側）には、図５に示すように、引き出し２の左右に配置された２つのスライドレール３のロック部材３ｄ同士を接続するための接続棒３ｇが固定されている。一方、ロック部材３ｄの家具本体１に近い側の端部（Ｂ側）には、インターレール３ｂの側面及びアウターレール３ａの側面に回転接触する２つのローラ３ｈが回転可能に支持されている。
【００１９】
なお、ロック部材３ｄは、回転軸３ｆを中心としたときに、Ａ側がＢ側よりもわずかに重く、通常状態では、重力によりＡ側が下がり、Ｂ側が持ち上がるように回転モーメントがかかっている。そのため、図４のように、スライドレール３が伸びた状態、すなわち引き出し２が引き出された状態においては、ローラ３ｈがインターレール３ｂの側面に当接しており、引き出し２を家具本体１内に収納しようとしても、ローラ３ｈがアウターレール３ａの先端部３ａ１にぶつかるため、引き出し２を収納することはできない。これにより、使用者が天板４の上に腰掛けた場合に、不用意に引き出し２が家具本体１内に引き込まれないようにロックすることが可能となる。
【００２０】
このように構成されるロック機構においては、使用者が天板４に腰掛けるために引き出し２を引き出すと、ロック部材３ｄのＢ側に配置されたローラ３ｈがアウターレール３ａの側面に沿って転がり、引き出し２が完全に引き出されると、ロック部材３ｄが図４における反時計回りに回動し、ローラ３ｈが図４に示すように、インターレール３ｂの側面に当接する状態となる。これにより、引き出し２が引き出された状態にロックされる。また、使用者が靴を履き終えて引き出し２を家具本体１に収納する場合には、使用者は引き出し２の下に手を入れて、接続棒３ｇを図４、図５に矢印Ｃで示す方向に押し上げる（持ち上げる）。これにより、ロック部材３ｄは回動軸３ｆの回りに時計方向に回動し、ロック部材３ｄの図４に示すＢ側が矢印Ｄ方向に下がる。そのため、ローラ３ｈがアウターレール３ａの先端部３ａ１を乗り越えられる状態となり、引き出し２のロックが解除され、引き出し２を家具本体１内に収納できる状態となる。
【００２１】
以上のように、本実施形態のスライドレールを備える玄関収納家具においては、引き出し２を引き出すことにより、使用者はその天板４の上に腰掛けることが可能となり、靴を履くときの利便性が向上する。また、引き出し２を引き出した状態では、ロック部材３ｄにより引き出し２が引き出されたままの状態でロックされるため、引き出し２が不用意に引き込まれることがない。また、ロックを解除して引き出し２を家具本体１に収納する場合には、使用者は、引き出し２の下に手を入れて接続棒３ｇを持ち上げるという簡単な操作でロックを解除することができる。また、ロックの解除のために、座板４や引き出し２に特別な加工を施す必要もない。また、本実施形態では、従来のようにロック部材が家具本体に接触することがないため、家具本体に傷をつけるようなことも防止できる。
【００２２】
なお、上記の実施形態では、スライドレールを３段式のレールとしたが、２段式のレールであっても、３段式の場合とまったく同様にロック機構を設けることができる。
【００２３】
また、上記の実施形態では、ロック部材３ｄは重力により図４におけるＡ側が下がるように構成されているが、重力ではなく、バネ力等により図４におけるＡ側が下がるように付勢されていてもよい。
【００２４】
また、上記の実施形態では、引き出し２の上に天板（座板）４を載置して座板としたが、引き出し２がなく、座板（引き出し板）のみが本実施形態のスライドレールで引き出し可能に設けられていてもよい。
【図１】
2015080571.tif 000003
【図２】
2015080571.tif 000004
【図３】
2015080571.tif 000005
【図４】
2015080571.tif 000006
【図５】
2015080571.tif 000007